(57)【要約】【課題】ハンドオーバ機能を備えた携帯端末において、基地局のカバーエリアの大小に応じたハンドオーバパラメータの設定を行うことが可能な移動通信端末を提供する。【解決手段】  ハンドオーバ機能を備えた移動通信端末において、使用基地局の送信電力の値に基づいてハンドオーバパラメータを設定する（ステップ３０２）。使用基地局の送信電力が大きい場合にはハンドオーバ間隔に大きな値を設定することで、ハンドオーバ判定に伴う携帯電話機の電力消費を低減する。一方、使用基地局の送信電力が小さい場合はハンドオーバ間隔に小さな値を設定することで、携帯電話機のカバーエリア逸脱に素早く対応してハンドオーバ処理を行う。【選択図】図７
2010239573.tif 000002
【特許請求の範囲】
【請求項１】
使用基地局と無線通信回線を確立して通信を行う通信手段と、
前記使用基地局より送信された無線信号から当該基地局の送信電力情報を取得し、取得
した前記送信電力情報に応じてハンドオーバ判定を行う判定時間間隔を設定する制御部と
を有することを特徴とする移動通信端末。
【請求項２】
使用基地局と無線通信回線を確立して通信を行う通信手段と、
前記使用基地局より送信された無線信号から当該基地局の送信電力情報と、前記通信手
段が前記使用基地局との前記無線通信回線を確立している連続使用時間の値とを取得し、
取得した前記送信電力情報及び前記連続使用時間に応じてハンドオーバ判定を行う判定時
間間隔を設定する制御部と
を有することを特徴とする移動通信端末。
【請求項３】
前記制御部は、
前記ハンドオーバ判定を行う際に、
前記使用基地局についての使用基地局の受信信号品質を測定し、
前記送信電力情報と前記使用基地局の受信信号品質に基づいて第１の評価値を設定し、
前記通信手段が無線通信回線を確立していない隣接基地局についての隣接基地局の受信
信号品質を測定し、
前記隣接基地局の受信信号品質に基づいて第２の評価値を設定し、
前記第２の評価値が前記第１の評価値を上回る場合にハンドオーバ要求を送信すること
を特徴とする請求項１または２に記載の移動通信端末。
【請求項４】
前記制御部は、
前記送信電力情報と前記使用基地局の受信信号品質と前記連続使用時間に基づいて前記
第１の評価値を設定することを特徴とする請求項３に記載の移動通信端末。
【請求項５】
前記制御部は、
前記送信電力情報と前記使用基地局の受信信号品質と前記使用基地局から送信された、
評価値バイアス情報に基づいて前記第１の評価値を設定することを特徴とする請求項３ま
たは４に記載の移動通信端末。
【請求項６】
使用基地局と無線通信回線を介して通信を行う通信手段と、
前記使用基地局より送信された無線信号から当該基地局の送信電力情報を取得し、前記
通信手段によって受信した前記無線信号の品質および、前記送信電力情報に基づいて評価
値を設定し、前記評価値に基づいてハンドオーバ判定を行う制御部と
を有することを特徴とする移動通信端末。
【請求項７】
使用基地局より送信された無線信号から当該基地局の送信電力情報を取得する機能と、
前記送信電力情報に応じてハンドオーバ判定を行うハンドオーバ時間間隔を設定する機
能と
を備えたことを特徴とする移動通信端末のハンドオーバ制御プログラム。
【請求項８】
使用基地局との無線通信回線を確立して通信を行う通信手段を有する移動通信端末のハ
ンドオーバ制御方法であって、
前記使用基地局より送信された無線信号から当該基地局の送信電力情報を取得し、
前記送信電力情報に応じてハンドオーバ判定を行うハンドオーバ時間間隔を設定するこ
とを特徴とする移動通信端末のハンドオーバ制御方法。
【発明の詳細な説明】
【技術分野】
【０００１】
本発明は、異なる基地局間のハンドオーバを行う移動通信端末、移動通信端末のハンド
オーバ制御プログラム、および移動通信端末のハンドオーバ制御方法に関する。
【背景技術】
【０００２】
近年、無線通信回線の普及に従って、無線通信機能を備えた持ち運び可能な移動通信端
末の普及が進んでいる。無線通信機能を備えた移動通信端末の一例である携帯電話機は、
電話による音声通信機能やデータ通信機能を備えており、音声通話、メールの送受信、あ
るいはウェブサイトの閲覧などの、様々な用途に活用されている。近年の携帯電話機の小
型化・軽量化に伴って、携帯電話機が移動しながら通信を行う機会が増加している。
【０００３】
携帯電話機は、一般的にセルラ通信方式と呼ばれる無線通信方式を用いている。セルラ
通信方式においては、各基地局はその基地局を中心とした特定の範囲内（以下、単にセル
と表記する）にある携帯電話機に対して無線信号の送受信を行っている。基地局が多数配
置されることでセルが敷き詰められ、携帯電話機はセル間を移動しながら通信を行う。
【０００４】
ここで、携帯電話機があるセルから別のセルへ移動し、現在使用している基地局との通
信を切断し、新たに移動先との基地局との通信を開始する処理を考える。この基地局間の
通信の繋ぎ替えを可能とするのが、所謂ハンドオーバと呼ばれる技術である。ハンドオー
バ機能を備えた携帯電話機においては、現在通信を行っている基地局から送信される無線
信号だけでなく、自端末の周辺にある他の基地局から送信される無線信号を同時に周期的
にサーチしている。そして、携帯電話機は、サーチした無線信号の品質を評価し、他の基
地局の信号品質が現在通信を行っている基地局の信号品質を上回る場合には、信号品質の
良い基地局との通信に繋ぎ替える。一般的に、携帯電話機の受信する無線信号の品質は、
基地局と携帯電話機の距離が離れるほど悪化する。よって、携帯電話機の移動に伴ってハ
ンドオーバを行い、信号品質の良い基地局へ無線通信回線を繋ぎ替えてゆくことで、携帯
電話機はセル間を跨ぐ移動であっても基地局との通信を維持することができる。
【０００５】
先に述べた様に、無線信号の品質は基地局と携帯電話機の距離に大きく依存し、一般的
に基地局に携帯電話機が近接するほど品質が良くなる。そこで、無線信号の品質を評価す
る技術として、携帯電話機が自端末の位置情報をＧＰＳ（ＧｌｏＢａｌ  Ｐｏｓｉｔｉｏ
ｎｉｎｇ  Ｓｙｓｔｅｍ）を用いて取得する。携帯電話機と基地局の位置情報を、ＧＰＳ
を用いて取得する。現在通信を行っている基地局よりも近接した位置関係にある基地局が
存在する場合は、近接した基地局の方が品質の良い無線信号を用いた通信が行えると判断
し、近接した基地局へのハンドオーバを行う発明が公開されている（例えば、特許文献１
を参照）。
【０００６】
また、携帯電話機が周辺の基地局が送信する無線信号をサーチし、そのサーチした無線
信号の信号品質を評価する。この携帯電話機による信号品質の評価（以下、単にハンドオ
ーバ判定と表記する）は、一定の時間間隔（以下、単にハンドオーバ周期と表記する）を
もって行われる。現在通信している基地局と比較して高い信号品質の無線信号が得られる
別の基地局が見つかった場合は、別の基地局へハンドオーバを行う。このハンドオーバ判
定を行う際に、携帯電話機はオフセット値を含めた信号品質の比較を行う。オフセット値
を含めた比較を行うことで、信号品質の変動が激しい場合にハンドオーバを不必要に繰り
返す事態を防止する発明が公開されている（例えば、特許文献２を参照）。
【先行技術文献】
【特許文献】
【０００７】
【特許文献１】特開２００２−１９９４２８号公報
【特許文献２】特開２００６−３１０９７３号公報
【発明の概要】
【発明が解決しようとする課題】
【０００８】
ところで、携帯電話機が屋内や建物の影、あるいは駅などの混雑する場所に位置し、遠
方の基地局から送信された無線信号の受信が困難な場合であっても、安定した無線通信を
行いたいという要求が高まっている。こうした要求を解決するため、局地的に無線信号の
送受信が困難な場所に送信電力の小さな基地局を配置し、無線通信サービスを補間する技
術が実用化されている。こうした送信電力の小さな基地局が提供するセルは、一般にフェ
ムトセルと呼ばれる。
【０００９】
ここで、移動しながら通信を行う携帯電話機がフェムトセル内で通信を行う場合、フェ
ムトセルはその送信電力の小ささから、カバーエリアは小さな範囲となる。そのため、フ
ェムトセル内にある携帯電話機が移動する場合は、カバーエリアの大きなセル（以下、単
にマクロセルと表記する）内にある携帯電話機が移動する場合に比べて、カバーエリアを
逸脱してハンドオーバを行う頻度が高くなると考えられる。しかし、ハンドオーバの頻度
は高いにも拘らず、ハンドオーバ周期は一定の時間間隔に設定されているために、適切な
時期にハンドオーバが行えない虞がある。
【００１０】
一方、移動しながら通信を行う携帯電話機が、マクロセル内で通信を行う場合、マクロ
セルはそのカバーエリアの大きさから、携帯電話機が移動した場合であってもカバーエリ
アを逸脱する頻度が低い。従って、携帯電話機がハンドオーバを行う頻度が低くなる。し
かし、ハンドオーバの頻度が低いにも関らず、ハンドオーバ周期が一定の時間間隔に設定
されているために、無駄なハンドオーバ判定によって携帯電話機の電力消費が増加する虞
がある。
【００１１】
本発明は、上記問題点を解決するためになされたもので、基地局より報知される送信電
力信号の値に基づいてハンドオーバ判定に用いる移動通信端末のパラメータを設定する。
パラメータを変化させることでハンドオーバ頻度を制御し、移動通信端末の消費電力低減
や通信の安定性向上に寄与することが可能な移動通信端末を提供することを目的とする。
【課題を解決するための手段】
【００１２】
前記目的を達成するために、本発明の移動通信端末は、第１の基地局と無線通信回線を
確立して通信を行う通信手段と、前記第１の基地局より送信された無線信号から前記基地
局の送信電力情報を取得し、前記送信電力情報に応じて、ハンドオーバ判定を行う判定時
間間隔を設定する制御部とを有することを特徴とする。
【００１３】
また、本発明の移動通信端末のハンドオーバ制御プログラムは、基地局との無線通信回
線を確立して通信を行う通信機能と、前記基地局より送信された無線信号から前記基地局
の送信電力情報を取得し、前記送信電力情報に応じてハンドオーバ判定を行うハンドオー
バ時間間隔を設定する、ハンドオーバパラメータ設定機能とを備えたことを特徴とする。
【００１４】
また、本発明の移動通信端末のハンドオーバ制御方法は、基地局との無線通信回線を確
立して通信を行う通信手段を有する移動通信端末のハンドオーバ制御方法であって、前記
基地局より送信された無線信号から前記基地局の送信電力情報を取得し、前記送信電力情
報に応じてハンドオーバ判定を行うハンドオーバ時間間隔を設定することを特徴とする。
【発明の効果】
【００１５】
本発明によれば、移動通信端末の消費電力低減や通信の安定性向上に寄与し得る移動通
信端末を提供することができる。
【図面の簡単な説明】
【００１６】
【図１】本発明の実施形態に関る移動通信端末の、内部構成を示すブロック図。
【図２】本実施形態における基地局Ａと、基地局Ｂ、および携帯電話機とを結ぶ無線通信ネットワークの概念図。
【図３】各実施形態におけるハンドオーバ判定を行う処理のフローチャート。
【図４】各実施形態における携帯電話機が基地局Ａに近い場合の評価値のヒステリシス特性を示す図。
【図５】各実施形態における携帯電話機が基地局Ｂに近い場合の評価値のヒステリシス特性を示す図。
【図６】本発明の第１の実施形態に係るハンドオーバパラメータを設定する処理のフローチャート。
【図７】本発明の第２の実施形態に係るハンドオーバパラメータを設定する処理のフローチャート。
【発明を実施するための最良の形態】
【００１７】
以下、本発明の実施の形態について図面を参照して説明する。
【００１８】
（携帯電話機通信部の構成）
図１は、本実施形態における移動通信端末の一例である、携帯電話機の内部の構造を示
すブロック図である。
【００１９】
後述する基地局Ａ（７１），Ｂ（７１）から送信された無線信号は、アンテナ２１で受
信された後、アンテナ共用器（ＤＵＰ）２２を介して受信回路（ＲＸ）２３に入力される
。受信回路２３は、受信した無線信号と周波数シンセサイザ（ＳＹＮ）２４から出力され
た局部発信信号とをミキシングして、中間周波数信号に周波数変換（ダウンコンバート）
する。そして、受信回路２３はこのダウンコンバートした中間周波数信号を復調し、受信
ベースバンド信号として出力する。
【００２０】
受信回路２３から出力された受信ベースバンド信号は、ＣＤＭＡ（Ｃｏｄｅ  Ｄｉｖｉ
ｓｉｏｎ  Ｍｕｌｔｉｐｌｅ  Ａｃｃｅｓｓ）信号処理部２６に入力される。ＣＤＭＡ信
号処理部２６は、図示せぬＲａｋｅ受信器を備える。このＲａｋｅ受信機では、受信ベー
スバンド信号に含まれる複数のパスがそれぞれ拡散符号（即ち、拡散された受信信号の拡
散符号と同一の拡散符号）で逆拡散処理される。そして、この逆拡散処理された各パスの
信号は、位相を回転させた後にコヒーレントＲａｋｅ合成される。Ｒａｋｅ合成後のデー
タ系列は、デインターリーブおよびチャネル復号（誤り訂正復号）が行われた後、２値の
データ判定が行われる。これらの処理により、ＣＤＭＡ信号処理部２６は、所定の伝送フ
ォーマットの受信パケットデータやあるいは音声データを生成する。
【００２１】
この受信パケットデータ及び音声データは、ＣＤＭＡ信号処理部２６から圧縮／伸張処
理部２７へ入力される。ＣＤＭＡ信号処理部２６は、ＤＳＰ（Ｄｉｇｉｔａｌ  Ｓｉｇｎ
ａｌ  Ｐｒｏｃｅｓｓｏｒ）などの処理回路から構成される。圧縮／伸張処理部２７で処
理された音声データは、ＰＣＭコーデック２８によりＰＣＭ復号化処理が行われ、音声信
号へ変換される。変換された音声信号は、受話増幅器２９により適正レベルまで増幅され
た後、スピーカ８より音声として出力される。
【００２２】
一方、携帯電話機のマイクロフォン７に入力された音声信号は、送話増幅器３０により
適正レベルまで増幅された後、ＰＣＭコーデック２８によりＰＣＭ符号化される。このＰ
ＣＭ符号化されたディジタルオーディオ信号は、圧縮／伸張処理部２７に入力される。ま
た、制御部３１で生成されたメールなどのデータ信号も、圧縮／伸張処理部２７に入力さ
れる。
【００２３】
ＣＤＭＡ信号処理部２６は、圧縮／伸張処理部２７から出力された送信パケットデータ
に、スペクトラム拡散処理を施し拡散信号を生成する。このスペクトラム拡散処理は、送
信チャネルに割当てられた拡散符号を用いて行われる。ＣＤＭＡ信号処理部２６によって
生成された拡散信号は、送信回路（ＴＸ）２５へ出力される。送信回路２５は、拡散信号
をＱＰＳＫ（Ｑｕａｄｒａｔｕｒｅ  Ｐｈａｓｅ  Ｓｈｉｆｔ  Ｋｅｙｉｎｇ）方式など
のディジタル変調方式を使用し変調する。更に、送信回路２５は、拡散信号と周波数シン
セサイザ２４から発生される局部発信信号とを合成し、無線信号に周波数変換（アップコ
ンバート）する。そして、送信回路２５は、制御部３１により指示される送信電力レベル
を満たすようにアップコンバートされた無線信号を増幅する。この増幅された無線信号は
、アンテナ共用器２２を介してアンテナ２１に供給され、このアンテナ２１から後述する
基地局Ａ（７１），Ｂ（７２）に向けて無線信号が送信される。
【００２４】
制御部３１は、ＣＰＵ（Ｃｅｎｔｒａｌ  Ｐｒｏｃｅｓｓｉｎｇ  Ｕｎｉｔ）などの電
子回路から構成される。ＣＰＵは、後述するＲＯＭあるいはＲＡＭに記憶されているプロ
グラムに従って処理を実行する。更にＣＰＵは、上述した各回路部から供給される信号を
処理し、また種々の制御信号を生成し、各回路部へ供給する。これらの処理により、ＣＰ
Ｕは携帯電話機１を統括的に制御する。記憶部３２は、例えば電気的に書き換えや消去が
可能な不揮発性メモリであるフラッシュメモリ素子、ＨＤＤ（Ｈａｒｄ  Ｄｉｓｃ  Ｄｒ
ｉｖｅ）、ＲＯＭ（Ｒｅａｄ  Ｏｎｌｙ  Ｍｅｍｏｒｙ）、およびＲＡＭ（Ｒａｎｄｏｍ
Ａｃｃｅｓｓ  Ｍｅｍｏｒｙ）などから構成される。記憶部３２には、制御部３１のＣ
ＰＵにより実行される種々のアプリケーションプログラムやデータ群に加えて、ハンドオ
ーバ判定に用いる種々のパラメータを格納するハンドオーバパラメータテーブルが設けら
れている。
【００２５】
（ハンドオーバ処理）
次に、ハンドオーバ処理について述べる。ここでは、携帯電話機７０がセルＡ（８１）
からセルＢ（８２）へ移動し、セルＡ（８１）の基地局Ａ（７１）からセルＢ（８２）の
基地局Ｂ（７２）へハンドオーバを行う際の処理について述べる。
【００２６】
図２は、基地局Ａ（７１）が無線信号を提供する範囲であるセルＡ（８１）内にいる携
帯電話機７０が、基地局Ｂ（７２）が無線信号を提供する範囲であるセルＢ（８２）へ移
動を行った際のネットワークの概念図を示している。
【００２７】
例えば、携帯電話機７０が図２のセルＡ（８１）内にあり、基地局Ａ（７１）と無線信
号の送受信を行っている状態から、図中の矢印に従って移動したとする。すると、携帯電
話機７０は、セルＡ（８１）を出てセルＢ（８２）内へ入る。携帯電話機７０は、通信に
必要な信号品質を保った無線信号を、セルＡ（８１）の基地局Ａ（７１）から受信するこ
とができない。そのため、携帯電話機７０は、無線通信を継続することができなくなる。
そこで、携帯電話機７０は、基地局Ａ（７１）から受信する無線信号の品質が悪化したこ
とを検知すると、より良い品質の無線信号が受信できるセルＢ（８２）の基地局Ｂ（７２
）と無線通信回線を確立するため、ハンドオーバ要求を送信する。基地局Ａ（７１）は、
携帯電話機７０からのハンドオーバ要求に従って、携帯電話機７０との接続の切断処理を
行う。一方、基地局Ｂ（７２）はハンドオーバ要求に従って、携帯電話機７０との無線通
信回線の確立処理を行う。携帯電話機７０がハンドオーバ要求を送信し、使用基地局を切
り替える処理は公知の技術であるので、本明細書では省略する。
【００２８】
（ハンドオーバ判定）
次に、携帯電話機７０がハンドオーバ要求を送信するか否かを判断する際に行う、ハン
ドオーバ判定について述べる。ここでは特に、基地局から送信される無線信号の信号対雑
音比を用いて行うハンドオーバ判定について説明する。
【００２９】
一般に、基地局から送信される無線信号の信号対雑音比は、基地局から携帯端末７０が
離れるに従い悪化する。携帯電話機７０のハンドオーバ判定は、例えば携帯電話機７０の
周辺にある基地局Ａ（７１），基地局Ｂ（７２）から受信する信号対雑音比の値を比較す
ることによって行われる。図３は、ハンドオーバ判定のフローチャートを示す図である。
以下にハンドオーバ判定の手順について説明する。
【００３０】
まず、携帯電話機７０がハンドオーバ判定を開始すると（ステップ２００）、携帯電話
機７０は、使用基地局（図２の場合においては基地局Ａ（７１）を指す）から受信した無
線信号の信号対雑音比を測定する（ステップ２０１）。更に携帯電話機７０は、使用基地
局Ａ（７１）の測定した信号対雑音比の値を用いて、後述する評価値算出方法から使用基
地局Ａ（７１）の評価値算出を行う（ステップ２０２）。更に、携帯電話機７０は、隣接
基地局（図２の場合においては基地局Ｂ（７２）を指す）から受信した無線信号の信号対
雑音比を測定する（ステップ２０３）。そして更に、携帯電話機７０は、隣接基地局Ｂ（
７２）の測定した信号対雑音比の値を用いて、隣接基地局Ｂ（７２）の評価値算出を行う
（ステップ２０４）。図２においては、携帯電話機７０の隣接基地局は基地局Ｂ（７２）
のみを示しているが、実際には隣接基地局は複数存在するため、信号対雑音比の測定は全
ての隣接基地局について行われる（ステップ２０５、ステップ２０６）。
【００３１】
そして、全ての隣接基地局の評価値を算出する、携帯電話機７０は、使用基地局の評価
値と隣接基地局の中での最良の評価値との比較を行う（ステップ２０７）。比較の結果、
使用基地局Ａ（７１）の評価値が上回った場合は（ステップ２０７のＮｏ）、携帯電話機
７０はハンドオーバ判定を終了する（ステップ２０９）。一方、隣接基地局Ｂ（７２）の
評価値が上回った場合は（ステップ２０７のＹｅｓ）、携帯電話機７０は最良の評価値を
得た隣接基地局Ｂ（７２）へハンドオーバ要求を送信して（ステップ２０８）、ハンドオ
ーバ判定を終了する（ステップ２０９）。
【００３２】
（基地局評価値の算出）
携帯電話機７０がハンドオーバ要求を行うか否かの判断は、信号対雑音比の値に基づい
て算出した評価値の比較によって行うと述べた。しかし、信号対雑音比の値は、携帯電話
機７０の周辺環境の変化によって大きく変動してしまう。このため、信号対雑音比の瞬間
的な変動を無視し、より有用な評価値を用いてハンドオーバ判定を行うためには、信号対
雑音比を複数回測定して平均化した値を用いる必要がある。そこで、携帯電話機７０が受
信した無線信号の信号対雑音比を、時間的に平均化した値を用いて評価値を算出する方法
を説明する。
【００３３】
数１に評価値を算出するための数式を示す。
【数１】
2010239573.tif 000003
【００３４】
数１中のｃｕｒｒ＿ＳＮは測定した信号対雑音比の値を、ｆｉｌｔ＿ｌｅｎｇｔｈはフ
ィルタ時定数を、ａはフィルタ重みを、ｔｏｔａｌ＿ＳＮは平均化した信号対雑音比の値
を示している。ＥＶＡ１は使用基地局の評価値を、ＥＶＡ２は隣接基地局の評価値を、ｏ
ｆｆｓｅｔはオフセット値を、Ｈｙｓｔはヒステリシス値を示している。ハンドオーバ判
定を行い受信信号の信号対雑音比を測定する毎にｔｏｔａｌ＿ＳＮの値が更新され、ｔｏ
ｔａｌ＿ＳＮの値に基づいて評価値ＥＶＡ１およびＥＶＡ２が算出される。
【００３５】
数１中の、フィルタ時定数ｆｉｌｔ＿ｌｅｎｇｔｈやフィルタ重みａを変化させること
で、評価値に信号対雑音比の一時的な変化を反映させる度合いを変化させることができる
。例えば、使用基地局の通信時間が十分長い場合には、携帯電話機７０の隣接基地局への
急な移動は起こり難いと判断できる。この場合、フィルタ時定数ｆｉｌｔ＿ｌｅｎｇｔｈ
を大きな値とし、あるいはフィルタ重みａを小さな値とすることで、一時的に発生した雑
音等の影響で信号対雑音比が変化した場合であっても、評価値が大きく変化してしまう事
態を防ぐことができる。
【００３６】
なお、本実施例では信号対雑音比の値を用いて評価値を算出するとしたが、信号対雑音
比の他に「受信電力」や、「無線信号の誤り率」、あるいは「基地局における無線回線の
空き回線数」などを評価値の算出に用いても構わない。受信した無線信号の誤り率を含め
て評価値を算出する場合には、誤り率が低いほど高い評価値が算出される。また、基地局
における無線回線の空き回線数を含めて評価値を算出する場合には、空き回線数が多いほ
ど高い評価値が算出される。あるいは、基地局から送信された種々の情報に基づいて評価
値を増加あるいは減少させてもよい。
【００３７】
（ハンドオーバ判定のヒステリシス特性）
数１に示したように、使用基地局の評価値（ＥＶＡ１）は、隣接基地局の評価値（ＥＶ
Ａ２）と異なり、受信電力の値にオフセット値ｏｆｆｓｅｔとヒステリシス値Ｈｙｓｔを
加えた値が用いられる。すなわち、オフセット値ｏｆｆｓｅｔとヒステリシス値Ｈｙｓｔ
は評価値にバイアスを掛け、評価値を変化させる役割を持つ。これにより、使用基地局と
隣接基地局間を移動する場合の評価値は、ヒステリシス特性を持って遷移することとなる
。なお、一般にオフセット値ｏｆｆｓｅｔは、基地局毎に異なる値が用いられる。一方、
ヒステリシス値Ｈｙｓｔは、携帯電話機７０が使用する無線通信システムの種類毎に異な
る値が用いられる。
【００３８】
例えば、図４において、携帯電話機７０が基地局Ｂ（７２）より基地局Ａ（７１）に近
い位置９０にあり、携帯電話機７０が基地局Ａ（７１）を使用基地局として通信を行う場
合の評価値の比較について説明する。
【００３９】
携帯電話機７０が位置９０にいる場合、基地局Ａ（７１）の評価値は、基地局Ａ（７１
）から受信した無線信号の信号対雑音比の値に、オフセット値ｏｆｆｓｅｔ及びヒステリ
シス値Ｈｙｓｔを足すことで算出される。図４の下側には、その評価値の推移を現してい
る。一方、基地局Ｂ（７２）の評価値は、基地局Ｂ（７２）から受信した無線信号の信号
対雑音比の値のみによって算出される。従って、携帯電話機７０が位置９０にいる場合は
、基地局Ａ（７１）の評価値が基地局Ｂ（７２）の評価値を上回るために、ハンドオーバ
は行われない。一方、携帯電話機７０が基地局Ｂ（７２）の近くへ移動し位置９１にいる
場合には、基地局Ｂ（７２）の評価値が上回るために、携帯電話機７０は基地局Ｂ（７２
）へのハンドオーバを行う。
【００４０】
次に、図５の様に、基地局Ｂ（７２）へハンドオーバした携帯電話機７０が、再び基地
局Ａ（７１）の近くへ移動する場合を考える。携帯電話機７０が基地局Ｂ（７２）に近い
位置９４にいる場合には、基地局Ｂ（７２）の評価値は、基地局Ｂ（７２）から受信した
無線信号の信号対雑音比の値に、オフセット値ｏｆｆｓｅｔ及びヒステリシス値Ｈｙｓｔ
を足すことで算出される。図５の下側には、その評価値の推移を現している。一方、基地
局Ａ（７１）の評価値は、基地局Ａ（７１）から受信した無線信号の信号対雑音比の値か
ら算出される。従って、携帯電話機７０の位置が位置９４にいる場合は、基地局Ｂ（７２
）の評価値が基地局Ａ（７１）の評価値を上回るために、ハンドオーバは行われない。一
方、携帯電話機７０が基地局Ａ（７１）の近くへ移動し図中の位置９５にいる場合には、
基地局Ａ（７１）の評価値が上回るために、携帯電話機７０は基地局Ａ（７１）へのハン
ドオーバを行う。
【００４１】
このように、携帯電話機７０は使用基地局の信号対雑音比の値にオフセット値ｏｆｆｓ
ｅｔおよびヒステリシス値Ｈｙｓｔを加えた値を用いて評価値とすることで、ヒステリシ
ス特性を持ってハンドオーバ判定を行うことができる。これにより、携帯電話機７０が使
用基地局と隣接基地局との信号対雑音比の値が等しくなる境界に位置する場合であっても
、ハンドオーバを繰り返す事態を防ぐことができる。また、携帯電話機７０の使用環境の
変動によって一時的に使用基地局の信号対雑音比が悪化した場合であっても、不用意に隣
接基地局へハンドオーバしてしまう事態を防ぐことができる。
【００４２】
（第１の実施形態）
図６は、使用基地局の送信電力値に基づいてハンドオーバパラメータを設定する処理の
フローチャートである。一般に、ハンドオーバパラメータの設定は、ハンドオーバによっ
て携帯電話機７０の使用基地局が切り替わった場合に行われる。ハンドオーバパラメータ
として設定される値は、ハンドオーバ判定の時間間隔を指定するハンドオーバ間隔ＨＯｔ
ｉｍｅ、そして先に述べた評価値を算出するためのオフセット値ｏｆｆｓｅｔ、ヒステリ
シス値Ｈｙｓｔ、そしてフィルタ時定数ｆｉｌｔ＿ｌｅｎｇｔｈなどが挙げられる。以下
に、ハンドオーバパラメータを設定する処理の流れについて説明する。なお、記憶部３２
のハンドオーバパラメータテーブルには、ハンドオーバパラメータの値が送信電力の値や
、連続使用時間の値に対応して予め設定されている。
【００４３】
まず、携帯電話機７０がハンドオーバパラメータの設定を開始する（ステップ３００）
。まず、携帯電話機７０は、使用基地局がカバーエリア内の端末へ報知する情報の中から
、基地局の送信電力の値を取得する（ステップ３０１）。次に、携帯電話機７０は、送信
電力の値の大小に基づいて、記憶部３２内に記憶されるハンドオーバパラメータテーブル
からハンドオーバパラメータの値を読み出し（ステップ３０２）、新たなハンドオーバパ
ラメータとして設定し、処理を終了する（ステップ３０３）。
【００４４】
ここで、ハンドオーバパラメータテーブルの構成例について述べる。例えば、ハンドオ
ーバパラメータとして設定される値をハンドオーバ間隔ＨＯｔｉｍｅ、オフセット値ｏｆ
ｆｓｅｔおよびフィルタ時定数ｆｉｌｔ＿ｌｅｎｇｔｈとする。また、基地局の大小をそ
の送信電力によって、例えば大・中・小の３段階に分類する。
【００４５】
ハンドオーバパラメータテーブルには基地局の大きさに応じて異なるハンドオーバパラ
メータが３種類ずつ格納される。例えば、基地局の送信電力が大きいときには対応した値
、ＨＯｔｉｍｅ「Ｌ」、ｏｆｆｓｅｔ「Ｌ」、ｆｉｌｔ＿ｌｅｎｇｔｈ「Ｌ」（「Ｌ」は
Ｌａｒｇｅを意味する）が設定される。一方、基地局の送信電力が小さいときにはＨＯｔ
ｉｍｅ「Ｓ」、ｏｆｆｓｅｔ「Ｓ」、ｆｉｌｔ＿ｌｅｎｇｔｈ「Ｓ」（「Ｓ」はｓｍａｌ
ｌを意味する）が設定される。
【００４６】
ここでは、基地局の大小を３分類し、それぞれ対応するハンドオーバパラメータを設定
することでハンドオーバパラメータテーブルを構成する例を述べた。しかし、基地局を分
類する数は「３」より大きい数であっても構わないし、ハンドオーバパラメータテーブル
によらず、基地局の送信電力に応じてハンドオーバパラメータを算出する方法を用いても
構わない。また、携帯電話機７０がハンドオーバパラメータテーブルを保持する場合を述
べたが、基地局がハンドオーバパラメータを保持し、基地局から送信されたハンドオーバ
パラメータを用いて携帯電話機７０がハンドオーバ判定を行っても構わない。
【００４７】
基地局の送信電力の値が大きい場合は、使用基地局のカバーエリアは大きくなる。使用
基地局のカバーエリアが大きい場合は、携帯電話機７０が移動した場合であってもカバー
エリアを逸脱する頻度が低いために、ハンドオーバ判定を頻繁に行う必要はないと考えら
れる。そこで、携帯電話機７０は、取得した送信電力の値が大きな値であった場合には、
ハンドオーバ間隔に大きな値を設定する。即ち、ハンドオーバ判定の頻度を少なくするこ
とで、携帯電話機７０が周辺にある基地局の信号対雑音比を測定する頻度も少なくなる。
これにより、携帯電話機７０の電力消費を低下させることができる。
【００４８】
一方、基地局の送信電力の値が小さい場合は、使用基地局のカバーエリアが小さくなる
。使用基地局のカバーエリアが小さい場合は、携帯電話機７０が移動することでカバーエ
リアを逸脱する頻度が高いため、カバーエリアの逸脱に対応するためハンドオーバ判定を
頻繁に行う必要がある。そこで、携帯電話機７０は、取得した送信電力の値が小さな値で
あった場合には、ハンドオーバ間隔に小さな値を設定する。即ち、ハンドオーバ判定の頻
度を増加させることで、携帯電話機７０はカバーエリアの逸脱に素早く対応してハンドオ
ーバを行う。これにより、携帯電話機７０の通信の安定性を向上させることができる。
【００４９】
また、送信電力の値に応じて設定される記憶部３２のハンドオーバパラメータは、ハン
ドオーバ間隔に限らない。例えば、オフセット値ｏｆｆｓｅｔあるいはヒステリシス値Ｈ
ｙｓｔを送信電力の値に応じて設定しても良い。オフセット値ｏｆｆｓｅｔを設定する場
合は、基地局の送信電力の値が大きい場合に、大きなオフセット値ｏｆｆｓｅｔを設定す
る。オフセット値ｏｆｆｓｅｔに大きな値を設定することでハンドオーバ判定の際に高い
評価値が得られるようにする。これにより、携帯電話機７０が一時的な電波環境の変化に
よってハンドオーバしてしまう事態を防止し、通信環境の安定した基地局を長く使用する
ことができる。ヒステリシス値Ｈｙｓｔを設定する場合も、送信電力の値が大きい場合に
大きなヒステリシス値Ｈｙｓｔを設定することで、同様の発明の効果が得られる。
【００５０】
更に、送信電力の値に応じてフィルタ時定数ｆｉｌｔ＿ｌｅｎｇｔｈを設定しても良い
。フィルタ時定数ｆｉｌｔ＿ｌｅｎｇｔｈを設定する場合は、例えば基地局の送信電力の
値が小さい場合にフィルタ時定数ｆｉｌｔ＿ｌｅｎｇｔｈに小さな値を設定する。使用基
地局のカバーエリアが小さい場合には、携帯電話機７０の電波環境の変動により無線信号
の受信品質が悪化した際に、接続が切断されてしまう場合が増加すると考えられる。そこ
で、フィルタ時定数ｆｉｌｔ＿ｌｅｎｇｔｈに小さな値を設定することで、携帯電話機７
０の電波環境の変化に対応してハンドオーバ要求を送信することができる。
【００５１】
（第２の実施形態）
第１の実施例では、記憶部３２のハンドオーバパラメータを基地局の送信電力の値のみ
に基づいて設定する場合を述べた。しかし、携帯電話機７０が基地局の周辺から移動しな
い場合は、基地局の送信電力が比較的小さい場合であっても基地局のカバーエリアを逸脱
する頻度が低くなると考えられる。この場合は、ハンドオーバ間隔に大きな値を設定し、
ハンドオーバ判定の頻度を低下させる。即ち、携帯電話機７０における周辺にある基地局
の信号対雑音比を測定する頻度が少なくすることで、携帯電話機７０の電力消費を低下さ
せることができる。
【００５２】
図７は、使用基地局の使用時間に応じて記憶部３２にハンドオーバパラメータを設定す
る処理のフローチャートである。以下に、ハンドオーバパラメータを設定する処理の流れ
について説明する。
【００５３】
まず、携帯電話機７０がハンドオーバパラメータの設定を開始する（ステップ４００）
。まず、携帯電話機７０は、使用基地局から「使用基地局を連続して使用している時間の
情報」を取得する（ステップ４０１）。なお、使用基地局の連続使用時間は、記憶部３２
に記憶するものであっても構わないし、使用基地局から報知されるものであっても構わな
い。また、ハンドオーバパラメータの設定中に連続使用時間の情報を取得する例を述べた
が、例えば待ち受け状態にあるとき携帯電話機７０が一定時間毎に連続使用時間の値を取
得して記憶部３２に記憶し、ハンドオーバパラメータの設定処理を行う際に記憶部３２か
ら連続使用時間の値を読み出すものであっても構わない。
【００５４】
次に、携帯電話機７０は、基地局の連続使用時間の値を取得すると、「使用基地局の送
信電力の値」を取得する（ステップ４０２）。次に、携帯電話機７０は、基地局の連続使
用時間の値および送信電力の値の大小に基づいて、記憶部３２内に記憶するハンドオーバ
パラメータテーブルからハンドオーバパラメータの値を読み出し（ステップ４０３）、新
たなハンドオーバパラメータとして設定し、処理を終了する（ステップ４０４）。
【００５５】
先に述べたように、携帯電話機７０の基地局の連続使用時間が長い場合には、携帯電話
機７０が移動していないためにハンドオーバの頻度が少なくてよい。そこで、携帯電話機
７０は、連続使用時間が長い値である場合には、ハンドオーバ間隔に大きな値を設定する
。これにより、携帯電話機７０が移動していない場合に、携帯電話機７０の電力消費を低
減することができる。あるいは、携帯電話機７０の連続使用時間が長い値である場合に、
オフセット値ｏｆｆｓｅｔあるいはヒステリシス値Ｈｙｓｔに大きな値を設定する。これ
により、携帯電話機７０が移動していない場合に、携帯電話機７０の通信環境の一時的な
変化に伴ってハンドオーバが行われてしまう事態を防ぐことができる。
【００５６】
以上の処理によって、携帯電話機７０がハンドオーバ判定を行う際に、基地局の送信電
力の値あるいは使用基地局の連続使用時間の値に基づいてハンドオーバパラメータの値を
設定する。例えば携帯電話機７０が大きなセル内にいる場合や、携帯電話機７０が移動し
ていない場合にはハンドオーバ間隔に大きな値を設定する。これにより、ハンドオーバ判
定の頻度が少なくすることで、携帯電話機７０の電力消費を低減することができる。一方
、携帯電話機７０が小さなセル内にいる場合や、携帯電話機７０が頻繁に移動している場
合には、ハンドオーバ間隔に小さな値を設定する。これにより、携帯電話機７０のカバー
エリアの逸脱に素早く対応してハンドオーバを行うことができる。
【００５７】
なお、ここに述べた実施の形態において、移動通信端末の例として携帯電話機を挙げて
説明を行った。しかし、本発明の範囲はこれに限定されるものではなく、例えばＰＤＡ（
Ｐｅｒｓｏｎａｌ  Ｄｉｇｉｔａｌ  Ａｓｓｉｓｔａｎｔ）や小型情報処理機器などにも
適用できる。本発明は、上記実施形態に限定されるものではなく、発明の要旨を逸脱しな
い範囲であれば、構成要素を変形して具体化しても良い。また、上記各実施形態に開示さ
れている複数の構成要素の適宣な組み合わせにより、種々の発明を形成しても良い。例え
ば、各実施形態に示される全構成要素から幾つかの構成要素を排除しても良い。
【符号の説明】
【００５８】
２１  アンテナ
３１  制御部
３２  記憶部
７０  携帯電話機
７１  基地局Ａ
７２  基地局Ｂ
８１  セルＡ
８２  セルＢ
【図１】
2010239573.tif 000004
【図２】
2010239573.tif 000005
【図３】
2010239573.tif 000006
【図４】
2010239573.tif 000007
【図５】
2010239573.tif 000008
【図６】
2010239573.tif 000009
【図７】
2010239573.tif 000010